(57)【要約】【課題】基板ボックスに対する不正行為を認識するためには、本体枠を開けるとともに遊技機本体裏面のカバー部材を開蓋しなければならない。【解決手段】開口部１５０，２５０を介して、カバー部材封止構造９１，９２が視認可能になっているため、ホールの作業員は、ガラス扉枠６０を開放させるとともに、この開口部１５０，２５０からカバー部材封止構造９１，９２を視認することによって、封止状態を認識することが可能になる。これによって、閉店後にホールを巡回し、ガラス扉枠６０を開放し上述した諸作業を行いながら、カバー部材９０に対する不正行為、すなわち、基板ボックスに対する不正行為をチェックすることが可能となり、営業中においても行われ得る基板ボックスに対する不正行為を早期に発見することが可能となる。【選択図】　図６
2004033423.tif 000002
【特許請求の範囲】
【請求項１】
遊技機本体裏面に配置される制御基板と、
上記制御基板を収容可能な基板ボックスと、
上記遊技機本体裏面に対して開閉可能であるとともに、上記基板ボックスを含め上記遊技機本体裏面の所定領域を覆蓋するカバー部材と、
上記カバー部材を上記遊技機本体裏面に対して封止するカバー部材封止手段と、
上記カバー部材封止手段による上記カバー部材の上記遊技機本体裏面に対する封止状態を遊技機本体前面から認識可能にする封止状態認識手段とを具備することを特徴とする遊技機。
【発明の詳細な説明】
【０００１】
【発明の属する技術分野】
本発明は、遊技機に関し、特に、不正防止を監視可能な遊技機に関する。
【０００２】
【従来の技術】
従来、この種の遊技機は、当該遊技機における各種制御処理を司る制御基板を内部に収容した基板ボックスを遊技機本体裏面に配置している。この基板ボックスは、開閉可能な筐体本体および蓋体からなる基板ボックスを所定の手段にて封止することによって、制御基板に配設されたＲＯＭが不正に交換されないようにしている。また、このように封止した基板ボックスを遊技機本体裏面に対して所定の施錠装置によって施錠したカバー部材によって覆蓋し、この施錠装置を解錠するとともに、カバー部材を開蓋しなければ、基板ボックスを操作することができないようにしている。
【０００３】
【発明が解決しようとする課題】
上述した従来の遊技機においては、基板ボックスに対する不正行為を認識するためには、本体枠を開けるとともに遊技機本体裏面のカバー部材を開蓋しなければならない。通常のホール作業では、本体枠を開けるとともにカバー部材を開蓋する頻度は少ないため、本体枠を開けるとともに、カバー部材を開蓋する作業を行うまでは、基板ボックスに対する不正行為を発見できないという課題があった。
【０００４】
本発明は、上記課題にかんがみてなされたもので、本体枠を開けるとともに、カバー部材を開蓋することなく、基板ボックスに対する不正行為を発見することが可能な遊技機の提供を目的とする。
【０００５】
【課題を解決するための手段】
上記目的を達成するため、請求項１にかかる発明は、遊技機本体裏面に配置される制御基板と、上記制御基板を収容可能な基板ボックスと、上記遊技機本体裏面に対して開閉可能であるとともに、上記基板ボックスを含め上記遊技機本体裏面の所定領域を覆蓋するカバー部材と、上記カバー部材を上記遊技機本体裏面に対して封止するカバー部材封止手段と、上記カバー部材封止手段による上記カバー部材の上記遊技機本体裏面に対する封止状態を遊技機本体前面から認識可能にする封止状態認識手段とを具備する構成としてある。
【０００６】
上記のように構成した請求項１にかかる発明においては、遊技機本体裏面に配置される制御基板を基板ボックスに収容する。そして、カバー部材を遊技機本体裏面に対して開閉可能に形成し、このカバー部材によって、基板ボックスを含めた遊技機本体裏面の所定領域を覆蓋する。ここで、カバー部材封止手段にて、このカバー部材を遊技機本体裏面に対して封止し、封止状態認識手段にてこのカバー部材封止手段によるカバー部材の遊技機本体裏面に対する封止状態を遊技機本体前面から認識可能にする。このように、カバー部材の封止状態を遊技機本体前面から認識可能とすることにより、遊技機本体裏面を確認すること無く、カバー部材に対する不正行為、すなわち、基板ボックスに対する不正行為を発見することが可能になる。
【０００７】
なお、本発明は、上記構成に限られるものではなく、以下の手段を含むものである。
手段１：
上記請求項１にかかる発明において、上記封止状態認識手段は、上記カバー部材封止手段による上記カバー部材の封止状態を視認可能とすることによって直接的に同封止状態を認識可能にする構成とする。これによって、封止状態が正常であるか、不正行為がなされているかを直接的に視覚にて確認することが可能になる。
手段２：
封止状態を直接的に視覚にて確認することが可能な構成として、上記手段１に記載の遊技機において、上記封止状態認識手段は、上記遊技機本体前面から遊技機本体裏面に貫通させて形成した開口部を有し、同開口部を介して同遊技機本体前面から遊技機本体裏面側を視認可能にするとともに、上記カバー部材封止手段は、この開口部に対面して配置される構成とする。これによって、開口部を介してカバー部材封止手段の封止状態を直接、視覚にて確認することが可能になる。
【０００８】
手段３：
開口部の具体的形成位置の一例として、上記手段１または手段２のいずれかに記載の遊技機において、上記封止状態認識手段は、上記開口部が遊技板に形成されるとともに、上記カバー部材封止手段は、同遊技板に形成された開口部に対面して配置される構成とする。これによって、遊技板の開口部を介してカバー部材封止手段の封止状態を視認することが可能になる。
手段４：
開口部の具体的形成位置の他の一例として、上記手段１〜手段３のいずれかに記載の遊技機において、上記封止状態認識手段は、上記開口部が本体枠に形成されるとともに、上記カバー部材封止手段は、同本体枠に形成された開口部に対面して配置される構成とする。これによって、本体枠の開口部を介してカバー部材封止手段の封止状態を視認することが可能になる。
手段５：
開口部の具体的形成位置の他の一例として、上記手段１〜手段４のいずれかに記載の遊技機において、上記封止状態認識手段は、上記開口部が遊技板および機構板に連通して形成されるとともに、上記カバー部材封止手段は、同遊技板および機構板に連通して形成された開口部に対面して配置される構成とする。これによって、遊技板および機構板の開口部を介してカバー部材封止手段の封止状態を視認することが可能になる。
【０００９】
手段６：
カバー部材封止手段が設置される具体的位置の一例として、上記請求項１もしくは手段１〜手段５のいずれかに記載の遊技機において、上記カバー部材封止手段は、遊技板に設置される構成とする。すなわち、カバー部材は遊技機本体裏面の遊技板において同遊技機本体裏面に対して封止される。
手段７：
カバー部材封止手段が設置される具体的位置の他の一例として、上記請求項１もしくは手段１〜手段５のいずれかに記載の遊技機において、上記カバー部材封止手段は、本体枠に設置される構成とする。すなわち、カバー部材は遊技機本体裏面の本体枠において同遊技機本体裏面に対して封止される。
手段８：
カバー部材封止手段が設置される具体的位置の他の一例として、上記請求項１もしくは手段１〜手段５のいずれかに記載の遊技機において、上記カバー部材封止手段は、機構板に設置される構成とする。すなわち、カバー部材は遊技機本体裏面の機構板において同遊技機本体裏面に対して封止される。
【００１０】
手段９：
ホールの作業員がカバー部材の封止状態を視認しやすいと好適である。そこで、上記請求項１もしくは手段１〜手段８のいずれかに記載の遊技機において、上記カバー部材封止手段は、略透明に形成される構成とする。このように、略透明に形成することによって、不正行為がなされたか否かを判別し易くすることができる。
手段１０：
開口部を介して遊技機本体前面から遊技機本体裏面に粉塵等が入り込むことを防止することが可能な構成の一例として、上記手段１〜手段９のいずれかに記載の遊技機において、上記開口部には、略透明に形成された覆蓋板が嵌め込まれる構成とする。これによって、視界を遮ることなく、粉塵等の入り込みを防止することができる。
手段１１：
ここで、カバー部材封止手段をより視認し易くすることが可能な構成の一例として、上記手段１０に記載の遊技機において、上記覆蓋板は、凸レンズにて形成された拡大鏡の構成とする。これによって、拡大されたカバー部材封止手段を視認することが可能となり、カバー部材封止手段の封止状態をより確認し易くすることが可能になる。
手段１２：
遊技者の視界から開口部を見えなくするための手法の一例として、上記手段１〜手段１１のいずれかに記載の遊技機において、上記開口部には、上方から下方に向けて内部が視認可能な複数の傾斜壁を設けた覆蓋板が嵌め込まれる構成とする。かかる覆蓋板を開口部に嵌め込み、遊技板において遊技者の目線より上方にこの開口部を形成することによって、遊技者の視界を傾斜壁の壁面によって遮ることができる。また、通常、ホールを見回る作業員は、上方向からの目線で遊技機を見るため、この傾斜壁に遮られることなく、封止状態を視認することができる。
【００１１】
手段１３：
遊技者の視界から開口部を見えなくするための手法の他の一例として、上記手段１〜手段１２のいずれかに記載の遊技機において、上記開口部には、遊技機外側から遊技機内側に向けて内部が視認可能な複数の傾斜壁を設けた覆蓋板が嵌め込まれる構成とする。かかる覆蓋板を開口部に嵌め込むことによって、遊技者の視界を傾斜壁の壁面によって遮ることができる。また、ホールを見回る作業員は、遊技機の横方向から傾斜壁に遮られることなく、封止状態を視認することができる。
手段１４：
遊技者の目線を遮る傾斜壁に遊技板と同様な装飾を行えば、遊技者に開口部の存在を認識させなくすることができる。そこで、上記手段１２または手段１３のいずれかに記載の遊技機において、上記覆蓋板は、上記傾斜壁の外側に所定の装飾がなされている構成とする。これにより、遊技者は遊技に集中することが可能になる。
【００１２】
手段１５：
封止状態をより視認し易くすることが可能な手法の一例として、上記請求項１もしくは手段１〜手段１４のいずれかに記載の遊技機において、上記封止状態認識手段は、上記カバー部材封止手段を照射する発光手段を有する構成とする。これにより、ホールの作業員は封止状態を確実に視認することが可能になる。
手段１６：
発光手段に適用して好適な具体的構成の一例として、上記手段１５に記載の遊技機において、上記発光手段は、ＬＥＤにて形成される構成とする。省電力にて照射することが可能であるとともに、基板ボックスに収容された制御基板にこのＬＥＤを配設すれば、ＬＥＤに対する電源供給等の構成を簡素化することが可能になる。
手段１７：
上述したように、外部から光を照射して、封止状態を視認し易くすることも可能であるが、自発的に光らせて、封止状態を視認し易くするようにしても良い。そこで、上記手段１５に記載の遊技機において、上記カバー部材封止手段は、上記開口部に向けた側に蛍光塗料が塗布されている構成とする。これにより、簡易な手法で、封止状態を視認し易くすることが可能になる。
【００１３】
手段１８：
上述してきた開口部を形成する位置は特に限定されるものではない。一方、このような封止状態の確認は、ホールの作業者による遊技機のメンテナンス作業時に行うことができれば良いとも考えられる。そこで、上記手段１〜手段１７のいずれかに記載の遊技機において、上記開口部は、遊技機本体前面に配設されるガラス扉枠の裏側に形成される構成とする。これにより、メンテナンス時（掃除、クギ調整、玉詰まり処置等）にガラス扉枠を開けたときに、併せて封止状態を視認することができ、好適である。
手段１９：
ここで、上述したガラス扉枠は、上皿が一体に形成されている場合もあれば、上皿扉枠がガラス扉枠と別個に形成され、同上皿扉枠とガラス扉枠とが個別に遊技機本体前面に対して開閉可能に構成されている場合もある。この上皿扉枠は、上皿の清掃等の作業のために、開放される機会が多い。このときに、カバー部材の封止状態を視認することができると好適である。そこで、上記手段１〜手段１７のいずれかに記載の遊技機において、上記開口部は、遊技機本体前面に配設される上皿扉枠の裏側に形成される構成とする。これにより、メンテナンス時（掃除等）に上皿扉枠を開けたときに、併せて封止状態を視認することができ、好適である。
手段２０：
このようにガラス扉枠の裏側に開口部を形成した場合、発光手段を常時照射しておくと省電力に寄与できない。そこで、上記手段１６に記載の遊技機において、上記発光手段は、上記ガラス扉枠の開閉動作に連動し動作するとともに、開動作時に上記カバー部材封止手段を照射する構成とする。これにより、省電力化を図ることが可能になる。
【００１４】
手段２１：
カバー部材を封止する際の具体的手法の一例として、上記請求項１もしくは手段１〜手段２０のいずれかに記載の遊技機において、上記カバー部材封止手段は、上記カバー部材あるいは同カバー部材に対面する遊技機本体裏面の部材の何れか一方にネジ穴を形成し、他方にナット保持部を形成するとともに、同ネジ穴からナット保持部にワンウェイネジを装着することによって上記カバー部材を上記遊技機本体裏面に対して封止する構成とする。
手段２２：
また、カバー部材を封止する際の他の具体的手法の一例として、上記請求項１もしくは手段１〜手段２０のいずれかに記載の遊技機において、上記カバー部材封止手段は、上記カバー部材あるいは同カバー部材に対面する遊技機本体裏面の部材の何れか一方に断面略くの字形状に屈曲されるとともに先端がくの字の内側に向けて折り曲げられた係合部を有する金属係合片を先端方向から挿入可能な金属係合片挿入部を形成し、他方に上記挿入される金属係合片の上記係合部を係合可能な金属係合片係合部を形成するとともに、同金属係合片挿入部から金属係合片係合部に金属係合片を装着することによって上記カバー部材を上記遊技機本体裏面に対して封止する構成とする。
【００１５】
手段２３：
さらに、カバー部材を封止する際の他の具体的手法の一例として、上記請求項１もしくは手段１〜手段２０のいずれかに記載の遊技機において、上記カバー部材封止手段は、上記カバー部材あるいは同カバー部材に対面する遊技機本体裏面の部材の何れか一方に形成された断面略中空形状であり、同カバー部材あるいは同カバー部材に対面する遊技機本体裏面の部材と対面する側に開口を有する第一樹脂成形部を形成し、他方に形成された断面略中空形状であり、閉時に上記第一樹脂成形部の開口と対面する開口を有する第二樹脂成形部を形成するとともに、上記第一樹脂成形部および第二樹脂成形部に樹脂を注入し、上記各断面略中空形状および各開口にて、樹脂を略ひょうたん型形状に成形させつつ硬化させることによって上記カバー部材を上記遊技機本体裏面に対して封止する構成とする。
手段２４：
上述した手法によってカバー部材を封止した場合に、開口部を介して封止状態を視認し易くすることが可能な配置方法の一例として、上記手段２１または手段２２のいずれかに記載の遊技機において、上記カバー部材封止手段は、上記開口部に対して上記ワンウェイネジもしくは上記金属係合片の装着方向を略垂直に向けて配置される構成とする。これにより、ネジ方向等から封止状態を視認することができるため、不正行為の有無をより把握し易くすることができる。
【００１６】
手段２５：
上述してきた発明においては、カバー部材封止手段の封止状態を直接的に視覚にて確認し、不正行為の有無を把握することができる構成を開示した。一方、封止状態を認識する手法は、直接的に封止状態を視覚にて確認する手法に限られず、間接的に確認する手法も勘案できる。そこで、上記請求項１に記載の遊技機において、上記封止状態認識手段は、上記カバー部材封止手段による上記カバー部材の封止状態を間接的に認識可能にする構成とする。
手段２６：
ここで、間接的にカバー部材の封止状態を認識できる手法の一例として、上記手段２５に記載の遊技機において、上記封止状態認識手段は、遊技機前面に配設されるタグ部と、同遊技機本体前面から遊技機本体裏面に形成した経路を介して同タグ部と遊技機本体裏面のカバー部材に連結する連結部材とから構成されるとともに、同連結部材は、同カバー部材の開時に離脱可能である構成とする。このように、連結部材がカバー部材から離脱すると、タグ部は遊技機本体前面において、落下したり、垂れ下がったりする。これにより、ホールの作業員は、カバー部材が不正に開放なされたか否かを判別することができる。すなわち、タグ部の状態によって、間接的に封止状態を認識することができる。
【００１７】
手段２７：
タグ部の落下もしくは垂れ下がりを促進することが可能な経路の形状の一例として、上記手段２６に記載の遊技機において、上記遊技機本体前面から遊技機本体裏面に形成した経路は、同遊技機本体裏面から遊技機本体前面に向けて下降する傾斜形状に形成されている構成とする。このように、経路を傾斜形状にすることによって、タグ部の重さによって、同タグ部を落下あるいは垂れ下がりし易くすることができる。
手段２８：
タグ部が落下したときに遊技不能にしてしまえば、不正行為のなされた遊技機にて不正に賞金を稼ぐことをできなくすることができる。そこで、上記手段２６または手段２７のいずれかに記載の遊技機において、上記タグ部は、上記遊技機本体前面に落下した際、遊技球の流路に落下することによって、流路を塞ぐことが可能な位置に配設される構成とする。これによって、不正に賞金を稼ぐ行為自体を防止することが可能になる。
【００１８】
手段２９：
上述してきた遊技機は、遊技機本体裏面に制御基板を収容した基板ボックスを覆蓋するカバー部材が配設され得るものであれば特に限定されるものではない。そこで、本発明にかかる遊技機を適用する具体的機種の一例として、上記請求項１もしくは手段１〜手段２８のいずれかに記載の遊技機において、当該遊技機は、パチロットである構成とする。このパチロットはパチンコ遊技機とスロットマシンとを融合させたものであり、その基本構成としては、「複数の識別情報からなる識別情報列を動的表示した後に識別情報を確定表示する可変表示手段を備え、始動用操作手段（例えば操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備え、遊技媒体として球を使用するとともに、前記識別情報の動的表示の開始に際しては所定数の球を必要とし、特別遊技状態の発生に際しては多くの球が払い出されるように構成されている遊技機」となる。
【００１９】
手段３０：
また、他の具体的機種の一例として、上記請求項１もしくは手段１〜手段２８のいずれかに記載の遊技機において、当該遊技機は、スロットマシンである構成とする。このスロットマシンの基本構成としては、「複数の識別情報からなる識別情報列を動的表示した後に識別情報を確定表示する可変表示手段を備え、始動用操作手段（例えば、操作レバー）の操作に起因して識別情報の動的表示が開始され、停止用操作手段（例えばストップボタン）の操作に起因して、あるいは、所定時間経過することにより、識別情報の動的表示が停止され、その停止時の確定識別情報が特定識別情報であることを必要条件として、遊技者に有利な特別遊技状態を発生させる特別遊技状態発生手段とを備えた遊技機」となる。この場合、遊技媒体はコイン、メダル等が代表例として挙げられる。
【００２０】
【発明の効果】
以上説明したように本発明は、遊技機本体裏面を確認すること無く、遊技機本体前面からカバー部材に対する不正行為を認識することが可能な遊技機を提供することができる。
また、手段１にかかる発明によれば、封止状態を直接的に視覚にて確認することによって不正行為を認識することが可能になる。
また、手段２にかかる発明によれば、開口部を介して封止状態を視認することができる。
さらに、手段３にかかる発明によれば、遊技板の開口部を介して封止状態を視認することができる。
【００２１】
さらに、手段４にかかる発明によれば、本体枠の開口部を介して封止状態を視認することができる。
さらに、手段５にかかる発明によれば、遊技板および機構板の開口部を介して封止状態を視認することができる。
さらに、手段６にかかる発明によれば、カバー部材封止手段が設置される位置の具体的態様を提示することができる。
さらに、手段７にかかる発明によれば、カバー部材封止手段が設置される位置の他の具体的態様を提示することができる。
さらに、手段８にかかる発明によれば、カバー部材封止手段が設置される位置のさらに他の具体的態様を提示することができる。
【００２２】
さらに、手段９にかかる発明によれば、封止部分を略透明に形成することによって不正行為の有無を把握し易くすることができる。
さらに、手段１０にかかる発明によれば、開口部の視界を遮ることなく、粉塵等が出入りしないようにすることができる。
さらに、手段１１にかかる発明によれば、カバー部材封止手段を拡大して視認可能とすることによって、より封止状態を確認し易くすることが可能になる。
さらに、手段１２にかかる発明によれば、遊技者に開口部の存在を認識させないようにすることができる。
さらに、手段１３にかかる発明によれば、遊技者に開口部の存在を認識させないようにすることができる。
さらに、手段１４にかかる発明によれば、遊技者に開口部の存在を認識させないようにすることができる。
【００２３】
さらに、手段１５にかかる発明によれば、封止状態をより視認し易くすることができる。
さらに、手段１６にかかる発明によれば、簡易な構成で照射を行うことが可能になる。
さらに、手段１７にかかる発明によれば、簡易な構成で封止状態を視認し易くすることができる。
さらに、手段１８にかかる発明によれば、ガラス扉枠を開けた際に、封止状態を確認することが可能になる。
手段１９にかかる発明によれば、上皿扉枠を開けた際に、封止手段を確認することが可能になる。
さらに、手段２０にかかる発明によれば、省電力化を図ることが可能になる。さらに、手段２１にかかる発明によれば、封止方法の具体的一例を提示することができる。
【００２４】
さらに、手段２２にかかる発明によれば、封止方法の他の具体的一例を提示することができる。
さらに、手段２３にかかる発明によれば、封止方法のさらに他の具体的一例を提示することができる。
さらに、手段２４にかかる発明によれば、封止部分をより見易くすることができる配置方向を提示することができる。
さらに、手段２５にかかる発明によれば、封止状態を間接的に確認することによって不正行為を認識することが可能になる。
さらに、手段２６にかかる発明によれば、遊技機本体前面に配設されたタグ部の状態によって封止状態を認識することが可能になる。
【００２５】
さらに、手段２７にかかる発明によれば、タグ部を落下あるいは垂れ下がりし易くすることができる。
さらに、手段２８にかかる発明によれば、不正行為を働いた後に遊技を行うことをできなくすることができる。
さらに、手段２９にかかる発明によれば、遊技機に適用可能な具体的機種の一例を提示することができる。
さらに、手段３０にかかる発明によれば、遊技機に適用可能な他の具体的機種の一例を提示することができる。
【００２６】
【発明の実施の形態】
ここでは、下記の順序に従って本発明の実施形態について説明する。
（１）パチンコ遊技機の構成：
（２）カバー部材封止構造の封止状態を直接的に認識可能な構成：
（３）カバー部材封止構造の封止状態を間接的に認識可能な構成：
（４）まとめ：
【００２７】
（１）パチンコ遊技機の構成：
図１は、本発明にかかる遊技機を適用したパチンコ遊技機を正面から見て示した正面図である。同図において、パチンコ遊技機１の外枠１０は、鋼材をプレス加工あるいは木材枠を組み合わせて形成されている。この外枠１０は、矩形板状の樹脂製の本体枠２０よりも僅かに大きいサイズの矩形開口１０ａを有している。この本体枠２０は、矩形開口１０ａの図に向かって左端にて枢支されており、図示しない回転軸を中心に回動し、外枠１０に対して開閉可能かつ着脱可能に装着されている。この本体枠２０の上部には、矩形板状の遊技板３０が取り付けられている。また、本体枠２０の下部には、遊技球の発射機構４０と、概略矩形形状に形成された樹脂製の流路板５０とが取り付けられている。さらに、当該流路板５０の前面側にて下皿７０が本体枠２０に取り付けられている。遊技板３０の前面には、下端中央から右巻きに概略一回転する外枠レールが前方へ立設されており、この外枠レールに取り囲まれる略円形の領域が遊技領域３１となっている。
【００２８】
この遊技領域３１には、図示していないが、多数の釘や、複数の入賞口や、入賞しなかった遊技球をアウト球として回収するアウト球回収口や、遊技の状況を表示する表示装置などが配設されている。遊技板３０の前面側には、樹脂製のガラス扉枠６０が本体枠２０の左端にて枢支されている。このガラス扉枠６０には、遊技領域３１を対面してガラス６１が嵌め込まれているとともに、ガラス６１の周囲を取り囲むように装飾ランプ６２および上皿６３が配設されている。また、ガラス扉枠６０の下方の本体枠２０には、発射機構４０の一部を構成する発射ハンドル４１が取り付けられている。この発射機構４０は、発射ハンドル４１の回転量に応じて遊技球を発射棹にて打ち出し、遊技板３０に向けて放出する。放出された遊技球は、流路板５０の前面側に取り付けられた遮蔽板と一対の仕切板とで囲まれた発射経路を通過した後、遊技板３０の前面側に立設された外側レールと内側レールとの間を通り抜けて、遊技領域３１に投入される。
【００２９】
図２は、パチンコ遊技機１を背面から見て示した背面図である。同図において、遊技板３０の背面側では、矩形筺状に形成された樹脂製の機構板８０が本体枠２０の図右端上部にて枢支されている。樹脂製の機構板８０も、図右端において本体枠２０の背面との間に設けられたヒンジ金具により支持されており、このヒンジを支軸として、同図における紙面手前側へ開閉可能となっている。この機構板８０は、上部にて遊技球の流路を形成する流路部８２を備えている。また、本実施形態においては、遊技板３０に配置された液晶ディスプレイや、制御基板を収容した基板ボックスなどを背面側から覆うカバーとしての役割を果たすとともに、本体枠２０の図右端にて枢支され、パチンコ遊技機１の裏面において開閉可能に構成されたカバー部材９０を採用する。
【００３０】
このカバー部材９０は、前面側に開口を有する矩形筐体により構成されており、パチンコ遊技機１に対して閉じた際に、上述した液晶ディスプレイや制御基板を含む遊技板３０の背面側の所定領域を覆蓋可能になっている。上述した流路部８２には、遊技球タンク１２０やタンクレール１００が装着されている。また、機構板８０の右側部には遊技球を下方に向かって払い出す払い出し装置ユニット８３が取り付けられている。この払い出し装置ユニット８３は、計数カウンタにより払い出し球をカウントして所定数の遊技球を払い出す遊技球払い出し機構８３ａ、タンクレール１００からの遊技球を遊技球払い出し機構８３ａに誘導するカーブ状に設けられた流路８３ｂ、遊技球払い出し機構８３ａから払い出された遊技球を上皿６３や下皿７０に誘導する流路８３ｃを備えている。遊技球払い出し機構８３ａは、内蔵するモータの回転により、遊技球を１個単位で放出可能となっている。
【００３１】
そして、流路部８２に装着された遊技球タンク１２０から下方へ流出する遊技球が、タンクレール１００内を図２の左側から右側へ移動し、払い出し装置ユニット８３内を流下して上皿６３や下皿７０に払い出されるようになっている。ここで、上述したようにカバー部材９０は当該パチンコ遊技機１の各種制御を司る制御基板を収容した基板ボックスを覆蓋している。そして、基板ボックスをこのように覆蓋することによって、当該基板ボックスに収容されている制御基板に対する不正行為（不正なＲＯＭ交換等）を防止する役割を果たしている。本実施形態においては、この基板ボックスを覆蓋しつつ、さらに、基板ボックスに対する不正行為の防止を実現するために、カバー部材９０の図右側上角部および図右側下角部に、当該カバー部材９０をパチンコ遊技機１に対して封止するためのカバー部材封止構造９１，９２が採用されている。
【００３２】
このカバー部材封止構造９１，９２は、カバー部材９０と、同カバー部材９０に対面する部材（機構板８０もしくは本体枠２０もしくは遊技板３０等）との相互に形成され、このカバー部材封止構造９１，９２によって、カバー部材９０を封止する。ここで、当該カバー部材封止構造９１，９２に適用される一例を図３および図４の構成図に示す。本実施形態においては、カバー部材９０に対面する部材を機構板８０とする構成を採用して説明するが、むろん、この部材は、本体枠２０であっても良いし、遊技板３０であっても良く、設計に応じて適宜変更可能であることは言うまでもない。また、図においては、カバー部材封止構造９１の構成を説明しているが、カバー部材封止構造９２も同等の構成を有していることは言うまでもない。
【００３３】
図において、カバー部材封止構造９１は、カバー部材９０の角部を陥没させて形成したカバー部材側封止部９１ａと、カバー部材９０の反対側に略半椀状に突出した凸部を有する機構板側封止部９１ｂとから構成されている。そして、カバー部材側封止部９１ａには、ネジ１３０を貫通させる貫通穴９１ａ１が形成されている。このネジ１３０の軸部は、先端にのみ雄ネジ部１３０ａが形成されており、その途中は雄ネジを形成していない延長部１３０ｂとなっている。一方、機構板側封止部９１ｂには、内周面に雌ネジ部９１ｂ１を形成した筒状のインサートナット９１ｂ２が嵌入されており、このインサートナット９１ｂ２の長さは概ね延長部１３０ｂよりも僅かに短めとしてあるとともに、インサートナット９１ｂ２のさらに奥側にはドーナツ状の板バネ部材９１ｂ３が挿入されている。
【００３４】
上記構成において、機構板側封止部９１ｂに対して、カバー部材側封止部９１ａを位置合わせし、カバー部材側封止部９１ａと、機構板側封止部９１ｂとが重なり合ったら、カバー部材側封止部９１ａの貫通穴９１ａ１に対してネジ１３０を挿入していき、インサートナット９１ｂ２に螺合させる。ネジ１３０を回転していくと、雄ネジ部１３０ａは、インサートナット９１ｂ２の雌ネジ部９１ｂ１に螺合していくが、ネジ１３０には延長部１３０ｂが形成してあるので、ある時点で同雄ネジ部１３０ａはインサートナット９１ｂ２を貫通する。また、貫通した時点で雄ネジ部１３０ａは板バネ部材９１ｂ３をも貫通し、同板バネ部材９１ｂ３にて奥方向に付勢される。そして、貫通直後の状態がカバー部材９０と機構板８０とが密閉された封止状態となる。
【００３５】
この後、機構板８０からカバー部材９０を外そうとして、ネジ１３０を逆方向に回転させても、雄ネジ部１３０ａは板バネ部材９１ｂ３にて奥方向に付勢されているのでインサートナット９１ｂ２の雌ネジ部９１ｂ１に螺合しない。このため、ネジ１３０を外すことはできず、機構板８０からカバー部材９０を外すことはできない。必要に応じてカバー部材９０を開く唯一の手法は、樹脂製のカバー部材側封止部９０ａと機構板側封止部９１ｂのいずれかあるいは両方を破断させることである。ここで、このカバー部材封止構造９１，９２は、パチンコ遊技機１の背面側から直に視認できる位置に配設されているため、メンテナンスのためにパチンコ遊技機１を開いたときには容易に視認できる。従って、カバー部材９０によって覆蓋されている基板ボックスに手を加えるなどのために、カバー部材封止構造９１，９２のカバー部材側封止部９０ａや機構板側封止部９０ｂを破損させるなどの不正行為が行われた場合、次のメンテナンス時に発見可能になっている。
【００３６】
かかる場合、パチンコ遊技機１の背面側を視認するために、本体枠２０を開放する必要がある。本体枠２０を開放する作業は、閉店後のメンテナンスや、休日のメンテナンスの場合に行われるため、カバー部材側封止部９０ａや、機構板側封止部９０ｂを破損させるなどの不正行為が行われた場合、本体枠２０を開放するまで、発見できないという問題があった。一方、ホールの作業員は、閉店後にホールを巡回し、遊技板３０の清掃や、遊技板３０上に配設されたクギ等の調整や、球詰まりの処置を行うため、ガラス扉枠６０を開放する機会が多い。従って、このガラス扉枠６０を開放したときに、カバー部材封止構造９１，９２の封止状態を認識可能にすると、ガラス扉枠６０を開放しただけで、カバー部材封止構造９１，９２に対する不正行為を発見することが可能となり好適である。そこで、本実施形態においては、ガラス扉枠６０の裏側と対面する領域にパチンコ遊技機１の本体前面から裏面に向けてカバー部材封止構造９１が視認可能な開口部を設け、ホールの作業員が閉店後の通常業務である諸作業を行うために、ガラス扉枠６０を開放した際に、当該カバー部材封止構造９１のカバー部材側封止部９０ａおよび機構板側封止部９０ｂの封止状態を視認によって認識できる構成を採用する。
【００３７】
（２）カバー部材封止構造を視認可能な構成：
図５は、パチンコ遊技機１のガラス扉枠６０を開放した状態を斜視した斜視図である。同図においては、ガラス扉枠６０を開放した状態を示している。ガラス扉枠６０を開放すると、外枠１０に装着されるとともに、遊技領域３１部分が略円形形状に開口された本体枠２０が現れる。本実施形態においては、この本体枠２０にパチンコ遊技機１の前面から裏面に貫通する開口部１５０を形成する。この開口部１５０は、パチンコ遊技機１の背面に配設されたカバー部材封止構造９１に対面する位置に形成されており、必要に応じて、本体枠２０、遊技板３０、機構板８０に形成した開口形状にて構成される。図６は、開口部１５０を正面から見た場合の拡大図を示している。
【００３８】
このように、開口部１５０を介して、カバー部材封止構造９１が視認可能になっているため、ホールの作業員は、ガラス扉枠６０を開放させるとともに、この開口部１５０からカバー部材封止構造９１を視認することによって、同カバー部材封止構造９１の封止状態を認識することが可能になる。これによって、閉店後にホールを巡回し、上述した諸作業を行いながら、カバー部材封止構造９１，９２を破壊して、カバー部材９０を開き、基板ボックスに対する行われた不正行為をチェックすることが可能となり、営業中においても行われ得る基板ボックスに対する不正行為を早期に発見することが可能となる。また、本実施形態においては、開口部１５０に樹脂製の透明カバー１５０ａを嵌め込み、視界を遮ることなく、この開口部１５０を介して、粉塵等がパチンコ遊技機１の前面から裏面に入り込んでしまうことを防止している。ここで、この透明カバー１５０ａを凸レンズにて形成し、拡大鏡の機能を備えさせても良い。これにより、カバー部材封止構造９１を拡大して視認することが可能となり、同カバー部材封止構造９１の封止状態をより確認し易くなって好適である。
【００３９】
上述した実施形態においては、開口部１５０を介して、カバー部材封止構造９１の封止状態を視認する構成を採用した。このカバー部材封止構造９１は、透明の樹脂製にて形成することによって、カバー部材側封止部９０ａや、機構板側封止部９０ｂが破損されるなどの不正行為が行われた場合、その状態を視認し易くなっている。しかし、パチンコ遊技機１の背面は暗いため、必ずしもカバー部材封止構造９１を視認し易いとは言い難い。そこで、このカバー部材封止構造９１を照射することによって、明確に当該カバー部材封止構造９１の封止状態を視認することができると好適である。図７は、このようにカバー部材封止構造９１を照射することが可能な構成の一例を示した構成図である。
【００４０】
同図において、カバー部材封止構造９１に近い機構板８０の所定位置に基板上にＬＥＤ１６１が配設されたＬＥＤ用基板１６０を配設する。そして、このＬＥＤ１６１を発光させることによって、カバー部材封止構造９１を照射する。すると、図８に示すように、開口部１５０を介して視認できるカバー部材封止構造９１は、ＬＥＤ１６１の発光により照らし出されることとなり、ホールの作業員は、ＬＥＤ１６１の発光に浮かび上がった同カバー部材封止構造９１を視認することによって、容易にその封止状態を認識することが可能になる。
【００４１】
一方、ホールの作業員がカバー部材封止構造９１の封止状態を視認するタイミングは、上述した実施形態においては、ガラス扉枠６０が開放された場合である。そこで、ガラス扉枠６０が開放された場合にのみ、ＬＥＤ１６１を発光させるように、制御処理を実行すると、省電力に寄与することができて好適である。図９は、基板ボックスに収容されている制御基板のＣＰＵによって実行されるこのＬＥＤ制御処理の処理内容を示したフローチャートである。ここで、かかる場合、ガラス扉枠６０の開放を検知可能な所定のセンサーが制御基板に入力されていることを前提とする。同図において、上述したセンサーの状態を検出して、ガラス扉枠６０の開閉状態を取得する（ステップＳ１００）。そして、ガラス扉枠６０が開状態であるか否かを判別し（ステップＳ１０５）、開状態であると判別されたら、ＬＥＤ１６１を発光させることによって、カバー部材封止構造９０を照射する（ステップＳ１１０）。
【００４２】
ここで、上述した実施形態では、カバー部材封止構造９１をＬＥＤ１６１の発光にて照射することによって、視認時に同カバー部材封止構造９０を浮かび上がらせる構成を採用した。このように、カバー部材封止構造９０を視認し易くするために、浮かび上がらせる手法は、ＬＥＤ１６１にて照射する手法に限定されるものではない。例えば、図１０に示すように、カバー部材封止構造９０の開口部１５０に対面する側に蛍光塗料１６２を塗布することによって、カバー部材封止構造９１を視認しやすく浮かび上がらせるようにしても良い。
【００４３】
上述してきた実施形態においては、カバー部材封止構造９１，９２をカバー部材９０側に形成したカバー部材側封止部９０ａと機構板８０側に形成した機構板側封止部９０ｂと、いわゆるワンウェイネジを構成するネジ１３０とにより構成し、カバー部材９０と機構板８０とを封止することによって、当該カバー部材９０をパチンコ遊技機１の裏面に対して封止する手法を示した。このように、カバー部材９０を機構板８０に封止する手法は、特に限定されるものではなく、適宜選択可能である。図１１は、カバー部材封止構造９１，９２に採用して好適な他の手法の一例を示した断面構成図である。同図において、カバー部材側封止部９１ａには、操作子保持部９１ａ２が形成されている。ここで、この操作子保持部９１ａ２は、カバー部材９０側から機構板８０側に向けて貫通した略四方形状の貫通穴９１ａ３が形成されている。この略四方形状の貫通穴９１ａ３は、カバー部材９０側に形成した略四方形状の開口が機構板８０側に形成した略四方形状の開口より大きく形成されており、同貫通穴９１ａ３の断面は、略台形形状になっている。
【００４４】
すなわち、同貫通穴９１ａ３の内周面は、カバー部材９０側から奥方へ向かうほど開口径が狭まるようなテーパー形状に形成されている。一方、樹脂製操作子１７０は、貫通穴９１ａ３内に挿入できる大きさの略皿状に透明の樹脂にて形成されており、周囲の壁面は貫通穴９１ａ３の内周壁面のテーパー形状に沿うように前方へ向かうほど徐々に幅狭となる傾斜面に形成されている。
【００４５】
略皿状とした内側には断面略くの字形に屈曲した金属製係合片１７０ａが保持されている。同金属製係合片１７０ａは帯状の板材を断面略くの字形に屈曲させるとともに両端を内側に鋭角に折り返して形成されている。かかる構成にて、樹脂製操作子１７０は、金属製係合片１７０ａを保持した状態で操作子保持部９１ａ２の貫通穴９１ａ３内に挿入される。このとき、樹脂製操作子１７０の略皿状に形成した部位が貫通穴９１ａ３に嵌合し、樹脂製操作子１７０が操作子保持部９１ａ２にて保持されるようになっている。一方、機構板８０側には、カバー部材側封止部９１ａとして形成された操作子保持部９１ａ２に対面する位置に機構板側封止部９１ｂとしての固定受け構造９１ｂ４が形成されている。
【００４６】
この固定受け構造９１ｂ４は、略四方柱形状に形成され、カバー部材９０の側から反対側に向けて開口されている。そして、略四方柱形状の略中央には、図奥側から手前側に立設させつつ、同略四方柱形状の図奥側から反対側を連結する係合片支持部９１ｂ５が形成されている。この係合片支持部９１ｂ５は、カバー部材９０側とは反対側が長辺となっている断面略台形形状に形成されている。かかる構成において、カバー部材９０を機構板８０に対して封止するに際し、カバー部材側封止部９１ａの操作子保持部９１ａ２として形成された貫通穴９１ａ３が機構板側封止部９１ｂの固定受け構造９１ｂ４の開口に重なり合うように位置合わせする。次に、樹脂製操作子１７０を貫通穴９１ａ３の上方から挿入するとともに、同貫通穴９１ａ３および固定受け構造９１ｂ４に進入させる。すると、金属製係合片１７０ａの先端に形成された折り返し端１７０ｂは、係合片支持部９１ｂ５の傾斜面を移動しながら、同係合片支持部９１ｂ５の長辺部位に係合する。これによって、カバー部材９０と機構板８０とが封止されることになる。
【００４７】
このように、カバー部材９０と機構板８０とを封止することにより、同カバー部材９０は、パチンコ遊技機１の裏面に対して、封止されることになる。ここで、上述した固定受け構造９１ｂ４は、略四方柱形状に形成され、カバー部材９０の側から反対側に向けて開口されている。従って、機構板８０側の開口から係合片支持部９１ｂ５に対して接触することができる。このように、係合片支持部９１ｂ５に対して接触することが可能であると、係合片支持部９１ｂ５から金属製係合片１７０ａの折り返し端１７０ｂを離脱させ得る。そこで、本実施形態においては、この固定受け構造９１ｂ４における機構板８０側の開口を略四方体にて形成した固定部覆蓋部材９１ｂ６にて覆蓋する。この固定部覆蓋部材９１ｂ６を接着剤等により固定受け構造９１ｂ４の開口の内周面に固着すれば、固定受け構造９１ｂ４において機構板８０側の開口から係合片支持部９１ｂ５に対する接触を不可能にすることができる。
【００４８】
さらに、カバー部材封止構造９１，９２に適用して好適な他の手法の一例として、樹脂によってカバー部材封止構造９１，９２を構成する態様について説明する。図１２は、樹脂によって、カバー部材９０と機構板８０とを封止することが可能な構成を示した構成図である。同図においては、機構板８０の機構板側封止部９１ｂに略中空形状の樹脂成形部Ａ１を形成する。そして、カバー部材９０のカバー部材側封止部９１ａに略中空形状の樹脂成形部Ａ２を形成する。ここで、樹脂成形部Ａ１のカバー部材９０側には開口Ａ１１を形成するとともに、樹脂成形部Ａ２の機構板８０側には開口Ａ２１を形成する。この開口Ａ１１と開口Ａ２１は、カバー部材９０と機構板８０とが重なり合わされた場合に対面し、樹脂成形部Ａ１と、樹脂成形部Ａ２とを連通させる。
【００４９】
また、樹脂成形部Ａ２は外側に向けて開口Ａ２２が形成されている。かかる構成において、開口Ａ２２から樹脂を注入する。この開口Ａ２２から注入された樹脂は、開口Ａ２１、開口Ａ１１を通過して、樹脂成形部Ａ１に滞留されていく。そして、逐次滞留されていく樹脂が樹脂成形部Ａ１および樹脂成形部Ａ２を充填すると、樹脂の注入を止める。この樹脂は、時間が経過していくと硬化する性質を有するものであり、硬化した樹脂は、樹脂成形部Ａ１および樹脂成形部Ａ２において、開口Ａ１１および開口Ａ２１を介して略ひょうたん形状に形成される。この略ひょうたん形状に形成された樹脂によって、カバー部材９０と機構板８０とが封止されることになる。
【００５０】
上述した実施形態においては、ガラス扉枠６０の裏側に開口部１５０を配置し、ホールの作業員が閉店後にガラス扉枠６０を開放し、遊技板３０の清掃等を行う際に、併せて開口部１５０を介してカバー部材封止構造９１を視認して封止状態を認識可能にした。このような開口部１５０は、ガラス扉枠６０の裏側に配置しても良いし、むろん、ガラス扉枠６０に形成し、ガラス扉枠６０を開放することなく、カバー部材封止構造９１を視認してその封止状態を認識できるようにしても良い。かかる場合におけるガラス扉枠６０を正面から見た正面図を図１３に示す。
【００５１】
同図においては、ガラス扉枠６０に開口部１５１を形成し、必要に応じて遊技板３０、本体枠２０、機構板８０に形成された開口部１５０と連通して、パチンコ遊技機１の前面から裏面を見ることができるようにする。これによって、ガラス扉枠６０を開放することなく、カバー部材封止構造９１を視認して、その封止状態を認識することができるため、ホールの作業員は、ホールの巡回中に、この開口部１５１をのぞき込むだけで良くなる。一方、このように、ガラス扉枠６０自体に開口部１５１を形成してしまうと、パチンコ遊技機１の前面に施された装飾が損なわれてしまうこともあり得る。そこで、この開口部１５１に図１４および図１５に示す傾斜壁カバー１５１ａおよび傾斜壁カバー１５１ｂを嵌め込む。同図において、傾斜壁カバー１５１ａには、上方向から下方向に向けて傾斜する傾斜壁１５１ｃが複数形成されるとともに、傾斜壁カバー１５１ｂには、パチンコ遊技機１の中央方向から外側方向に向けて形成する傾斜壁１５１ｄが形成されている。
【００５２】
このように、傾斜壁１５１ｃ、１５１ｄを形成することによって、遊技者の目線においては、傾斜壁が視界を遮り、カバー部材封止構造９１を見えないようにすることができる。一方、ホールの作業員の目線においては、傾斜壁１５１ｃ間、もしくは、傾斜壁１５１ｄ間を介して、カバー部材封止構造９１を視認可能にすることができる。これによって、遊技者の視界からカバー部材封止構造９１を除外することができるようになる。このとき、傾斜壁１５１ｃ、１５１ｄの外側にガラス扉枠６０と同様の装飾を施しておけば、遊技者に開口部１５１を意識させないようにすることが可能になる。
【００５３】
（３）カバー部材封止構造の封止状態を間接的に認識可能な構成：
上記説明してきた実施形態は、開口部１５０もしくは開口部１５１を介して、カバー部材封止構造９１を直接的に視認し、その封止状態を認識する構成を採用した。一方、カバー部材封止構造９１の封止状態を認識する手法は、直接的にカバー部材封止構造９１を視認する手法に限定されるものではなく、間接的にカバー部材封止構造９１の封止状態を認識する手法も勘案することができる。そこで、このように間接的にカバー部材封止構造９１の封止状態を認識することが可能となる構成の一例を図１６および図１７に示す。同図においては、タグ部２００と、連結部材２０１とから構成される部材を、必要に応じて、遊技板３０、本体枠２０、機構板８０に形成された経路２０３にこの部材の連結部材２０１を挿入するとともに、連結部材２０１の端部をカバー部材９０において固定部２０２によって固定する。
【００５４】
このとき、パチンコ遊技機１のガラス扉枠６０を開放した状態では、タグ部２００が本体枠２０の所定位置に固定されている。一方、カバー部材封止構造９１，９２を破損させてカバー部材９０を開こうとした場合、固定部２０２が破損し、連結部材２０１がカバー部材９０から離脱する。これによって、タグ部２００が垂れ下がったり、もしくは、タグ部２００および連結部材２０１が落下する。すなわち、ホールの作業員は、このタグ部２００等の状態を介して間接的にカバー部材９０の封止状態を認識することが可能になり、タグ部２００が垂れ下がっていたり、落下していた場合は、カバー部材封止構造９１，９２が破壊され、カバー部材９０が開けられて、基板ボックスに何らかの不正行為がなされたと判断することが可能になる。
【００５５】
このように間接的にカバー部材封止構造９１の封止状態を認識することが可能な手法の他の一例について、図１８〜図２０にその構成を示す。同図において、本体枠２０の垂直方向に断面略四角形に形成された略中空形状の落下経路２１０を形成し、この落下経路２１０に、同落下経路２１０を落下可能な略四方体の遮蔽部材２１１を挿入する。そして、カバー部材９０の遊技板３０側に支持部材２１２を立設するとともに、本体枠２０および遊技板３０もしくは機構板８０に形成した支持部材挿入経路２１３に、この支持部材２１２を挿入しつつ、同支持部材２１２の端部にて遮蔽部材２１１が落下しないように支持する。また、この落下経路２１０は下方端が発射棹２１４の前方に位置するように配設され、落下経路２１０を落下してきた遮蔽部材２１１は、発射棹２１４の手前に形成された遮蔽構造２１５に収容される。
【００５６】
この遮蔽構造２１５は、発射経路２１６の経路幅Ｔ１（略遊技球の直径）より若干大きな幅Ｔ２に形成されているとともに、遮蔽部材２１１もこの幅Ｔ２と同等の幅を有しており、上述したように、当該遮蔽部材２１１は落下しつつ、遮蔽構造２１５に収容される。このように遮蔽構造２１５に遮蔽部材２１１が収容されると、発射棹２１４の手前に遊技球が供給されなくなり、遊技ができなくなる。すなわち、カバー部材封止構造９１，９２が破壊され、カバー部材９０が開けられて、基板ボックスになんらかの不正行為が行われた場合、遮蔽部材２１１が遮蔽構造２１５に収容され、遊技不能になる。これによって、間接的に不正行為が行われたことを認識することが可能になる。かかる実施形態を採用することにより、不正行為のあったパチンコ遊技機１においては、遊技をできなくすることが可能となり、好適である。ここで、この遮蔽部材２１１が本発明にかかるタグ部を構成し、支持部材２１２が本発明にかかる連結部材を構成する。
【００５７】
上述した実施形態においては、図５に示すとおり、ガラス扉枠６０を開放することによって、本体枠２０にパチンコ遊技機１の前面から裏面に貫通して形成した開口部１５０を介して、カバー部材封止構造９１の封止状態を視認可能にし、諸作業のためにガラス扉枠６０を開放しつつ、同時にこのカバー部材封止構造９１の封止状態を認識することを可能にした。ここで、かかる実施形態においては、ガラス扉枠６０は、上皿６３が一体成形されている構成を採用した。パチンコ遊技機１の機種によっては、上皿扉枠がガラス扉枠６０とは別個に形成されるとともに、本体枠２０に枢支され、当該本体枠２０に対して開閉可能になっているものもある。このような、パチンコ遊技機１においては、上皿６３の清掃等の作業のため、上皿扉枠が開放される機会が多い。このとき、上皿扉枠を開放した際に、カバー部材９０の左下角部側のカバー部材封止構造９２の封止状態を視認する構成を採用しても良い。
【００５８】
図２１は、パチンコ遊技機１のガラス扉枠６０とは別個に形成された上皿扉枠を開放した状態を斜視した斜視図である。同図においては、上皿扉枠６３ａを開放した状態を示している。上皿扉枠６３ａを開放すると、外枠１０に装着されるとともに、遊技領域３１部分が略円形形状に開口された本体枠２０が現れる。そして、この実施形態においては、上皿扉枠６３ａの背面側の本体枠２０にパチンコ遊技機１の前面から裏面に貫通する開口部２５０を形成する。この開口部２５０は、パチンコ遊技機１の背面に配設されたカバー部材封止構造９２に対面する位置に形成されており、必要に応じて、本体枠２０、遊技板３０、機構板８０に形成した開口形状にて構成される。ここで、図２３は、開口部２５０を正面から見た場合の拡大図を示している。
【００５９】
このように、開口部２５０を介して、カバー部材封止構造９２が視認可能になっているため、ホールの作業員は、上皿扉枠６３ａを開放させるとともに、この開口部２５０からカバー部材封止構造９２を視認することによって、封止状態を認識することが可能になる。これによって、閉店後にホールを巡回し、上皿扉枠６３ａを開放して諸作業を行いつつ、カバー部材９０に対する不正行為をチェックすることが可能となり、営業中においても行われ得るカバー部材９０を不正に開蓋して行われる基板ボックスに対する不正行為を早期に発見することが可能となる。
【００６０】
（４）まとめ：
このように、本実施形態においては、開口部１５０，２５０を介して、カバー部材封止構造９１，９２が視認可能になっているため、ホールの作業員は、ガラス扉枠６０もしくは上皿扉枠６３ａを開放させるとともに、この開口部１５０，２５０からカバー部材封止構造９１，９２を視認することによって、封止状態を認識することが可能になる。これによって、閉店後にホールを巡回し、ガラス扉枠６０を開放し上述した諸作業を行いながら、カバー部材９０に対する不正行為、すなわち、基板ボックスに対する不正行為をチェックすることが可能となり、営業中においても行われ得る基板ボックスに対する不正行為を早期に発見することが可能となる。
【図面の簡単な説明】
【図１】本発明にかかる遊技機を適用したパチンコ遊技機を正面から見て示した正面図である。
【図２】パチンコ遊技機を背面から見て示した背面図である。
【図３】カバー部材封止構造の構成を示した構成図である。
【図４】カバー部材封止構造の構成を示した構成図である。
【図５】パチンコ遊技機のガラス扉枠を開放した状態を斜視した斜視図である。
【図６】開口部を正面から見た場合の拡大図である。
【図７】カバー部材封止構造を照射可能な構成を示した構成図である。
【図８】照射されたカバー部材封止構造の状態を示した図である。
【図９】ＬＥＤ制御処理の処理内容を示したフローチャートである。
【図１０】カバー部材封止構造に蛍光塗料を塗布した状態を示した図である。
【図１１】カバー部材封止構造の他の構成を示した構成図である。
【図１２】カバー部材封止構造の他の構成を示した構成図である。
【図１３】ガラス扉枠を正面から見た場合の正面図である。
【図１４】傾斜壁カバーの構成を示した構成図である。
【図１５】傾斜壁カバーの構成を示した構成図である。
【図１６】間接的にカバー部材封止構造の封止状態を認識可能な構成を示した構成図である。
【図１７】間接的にカバー部材封止構造の封止状態を認識可能な構成を示した構成図である。
【図１８】間接的にカバー部材封止構造の封止状態を認識可能な構成を示した構成図である。
【図１９】間接的にカバー部材封止構造の封止状態を認識可能な構成を示した構成図である。
【図２０】間接的にカバー部材封止構造の封止状態を認識可能な構成を示した構成図である。
【図２１】パチンコ遊技機の上皿扉枠を開放した状態を斜視した斜視図である。
【図２２】パチンコ遊技機を背面から見て示した背面図である。
【図２３】開口部を正面から見た場合の拡大図である。
【符号の説明】
１…パチンコ遊技機
１０…外枠
１０ａ…矩形開口
２０…本体枠
３０…遊技板
３１…遊技領域
４０…発射機構
４１…発射ハンドル
５０…流路板
６０…ガラス扉枠
６１…ガラス
６２…装飾ランプ
６３…上皿
７０…下皿
８０…機構板
８２…流路部
８３…払い出し装置ユニット
９０…カバー部材
１００…タンクレール
１２０…遊技球タンク
１５０…開口部
【図１】
2004033423.tif 000003
【図２】
2004033423.tif 000004
【図３】
2004033423.tif 000005
【図４】
2004033423.tif 000006
【図５】
2004033423.tif 000007
【図６】
2004033423.tif 000008
【図７】
2004033423.tif 000009
【図８】
2004033423.tif 000010
【図９】
2004033423.tif 000011
【図１０】
2004033423.tif 000012
【図１１】
2004033423.tif 000013
【図１２】
2004033423.tif 000014
【図１３】
2004033423.tif 000015
【図１４】
2004033423.tif 000016
【図１５】
2004033423.tif 000017
【図１６】
2004033423.tif 000018
【図１７】
2004033423.tif 000019
【図１８】
2004033423.tif 000020
【図１９】
2004033423.tif 000021
【図２０】
2004033423.tif 000022
【図２１】
2004033423.tif 000023
【図２２】
2004033423.tif 000024
【図２３】
2004033423.tif 000025